(57)【要約】【課題】フレーミングの際に邪魔になるアイコン等の表示を不要とし、ライブビュー画像により撮影に関する機能全般に亘ってその状態を被写体に視覚的に認識させる。【解決手段】撮像装置１０は、撮像部１１と、表示部１２と、画質調整機能とは別の当該撮像装置における所定の機能の状態に応じて、前記表示部に表示される画像に対して異なる種類又は異なる程度の画像処理を施す制御を行う制御部１４と、により構成される。【選択図】図２
2014064225.tif 000002
【特許請求の範囲】
【請求項１】
少なくとも撮像部と表示部とを有する撮像装置であって、
画質調整機能とは別の当該撮像装置における所定の機能の状態に応じて、前記表示部に表示される画像に対して異なる種類又は異なる程度の画像処理を施す制御を行う制御部、
を有することを特徴とする撮像装置。
【請求項２】
前記所定の機能は、セルフタイマ、電池残量、撮像可能枚数の少なくとも１つを含むことを特徴とする請求項１記載の撮像装置。
【請求項３】
前記制御部は、
前記画像を非写実的画像に変換する前記画像処理を施すことを特徴とする請求項１又は２記載の撮像装置。
【請求項４】
前記制御部は、
前記画像の輪郭を変形させる前記画像処理を施すことを特徴とする請求項１又は２記載の撮像装置。
【請求項５】
前記制御部は、
前記画像の色の濃度を変換する前記画像処理を施すことを特徴とする請求項１又は２記載の撮像装置。
【請求項６】
前記制御部は、
前記画像を非写実的画像に変換する前記画像処理を施した場合の変換度を制御することを特徴とする請求項１又は２記載の撮像装置。
【請求項７】
前記制御部は、
前記画像の輪郭を変形させる前記画像処理を施した場合の前記輪郭の変形度を制御することを特徴とする請求項１又は２記載の撮像装置。
【請求項８】
前記制御部は、
前記画像の色の濃度を変換する前記画像処理を施した場合の前記濃度の変換度を制御することを特徴とする請求項１又は２記載の撮像装置。
【請求項９】
前記制御部は、
セルフタイマの残り時間に応じて、前記表示部に表示される画像に対して異なる画像処理を施し、或いは前記施した画像処理の程度を制御することを特徴とする請求項１〜８のいずれか１項記載の撮像装置。
【請求項１０】
前記制御部は、
前記セルフタイマの残り時間が短い程、撮像モードにしたがって撮像された画像に近づける前記画像処理を施すことを特徴とする請求項９記載の撮像装置。
【請求項１１】
前記制御部は、
前記セルフタイマの残り時間が短い程、前記画像処理の程度を小さく設定することを特徴とする請求項９記載の撮像装置。
【請求項１２】
前記制御部は、
電池残量に応じて、前記表示部に表示される画像に対して異なる画像処理を施し、或いは前記施した画像処理の程度を制御することを特徴とする請求項１〜８のいずれか１項記載の撮像装置。
【請求項１３】
前記制御部は、
前記電池残量が少ない程、撮像モードにしたがって撮像された画像から遠ざける前記画像処理を施すことを特徴とする請求項１２記載の撮像装置。
【請求項１４】
前記制御部は、
前記電池残量が少ない程、前記画像処理の程度を大きく設定することを特徴とする請求項１２記載の撮像装置。
【請求項１５】
前記制御部は、
撮像可能枚数に応じて、前記表示部に表示される画像に対して異なる画像処理を施し、或いは前記施した画像処理の程度を制御することを特徴とする請求項１〜８のいずれか１項記載の撮像装置。
【請求項１６】
前記制御部は、
前記撮像可能枚数が少ない程、撮像モードにしたがって撮像された画像から遠ざける前記画像処理を施すことを特徴とする請求項１５記載の撮像装置。
【請求項１７】
前記制御部は、
前記撮像可能枚数が少ない程、前記画像処理の程度を大きく設定することを特徴とする請求項１５記載の撮像装置。
【請求項１８】
前記所定の機能に応じて画像処理の種類を変えることを特徴とする請求項１〜１７のいずれか１項記載の撮像装置。
【請求項１９】
前記所定の機能の複数の状態を同時に表すことを特徴とする請求項１〜１８のいずれか１項記載の撮像装置。
【請求項２０】
少なくとも、撮像部と表示部とを有する撮像装置に用いられる撮像方法であって、
画質調整機能とは別の当該撮像装置における所定の機能の状態を検出するステップと、
前記撮像部が撮像した画像を取得するステップと、
前記検出した前記撮像に関する機能の状態に応じて、前記表示部に表示される画像に対して異なる種類又は異なる程度の画像処理を施す制御を行うステップと、
を有することを特徴とする撮像方法。
【請求項２１】
コンピュータによって実行され、少なくとも撮像部と表示部とを有する撮像装置に用いられるプログラムであって、
前記コンピュータに、
画質調整機能とは別の当該撮像装置における所定の機能の状態を検出する処理と、
前記撮像部が撮像した画像を取得する処理と、
前記検出した前記撮像に関する機能の状態に応じて、前記表示部に表示される画像に対して異なる種類の又は異なる程度の画像処理を施す制御を行う処理と、
を実行させるプログラム。
【発明の詳細な説明】
【技術分野】
【０００１】
本発明は、撮像装置、撮像方法及びプログラムに関する。
【背景技術】
【０００２】
従来、セルフタイマ機能を備えた撮像装置において、ＬＥＤ（Light  Emitted  Diode）の点滅により、撮影までの残り時間を被写体に視覚的に認識させる方法が知られている。しかしながら、この方法によれば、ＬＥＤの点滅回数を数える必要があるため、撮影開始までの時間を明確に被写体に認識させることが困難である。このため、例えば、特許文献１に開示されているように、アイコンを描画することによりセルフタイマによる撮影までの残り時間（カウントダウン）を通知する方法が知られている。
【先行技術文献】
【特許文献】
【０００３】
【特許文献１】特開２００５−２５７８６９号公報
【発明の概要】
【発明が解決しようとする課題】
【０００４】
特許文献１に開示された技術によれば、レンズ側に向いた画面上でライブビュー画像にセルフタイマの残り時間を重畳表示している。また、被写体との距離に応じて表示するアイコンの大きさを変化させている。しかしながら、アイコンを描画する場合、アイコンがライブビュー画像と重畳されて表示されるため、フレーミング調整の際に邪魔になる。この課題は、セルフタイマに限らず、電池残量、撮影可能枚数等、撮影に関する状態を被写体や撮影者に認識させようとした場合、撮影に関する機能全般に亘って発生する。
【０００５】
本発明は上記した課題を解決するためになされたものであり、フレーミング調整の際にアイコン等の表示に頼ることなく、ライブビュー画像により撮影に関する機能全般に亘ってその状態を被写体や撮影者に視覚的に認識させることができる、撮像装置、撮像方法およびプログラムを提供することを目的とする。
【課題を解決するための手段】
【０００６】
上記した課題を解決するために本発明は、少なくとも撮像部と表示部とを有する撮像装置であって、画質調整機能とは別の当該撮像装置における所定の機能の状態に応じて、前記表示部に表示される画像に対して異なる種類又は異なる程度の画像処理を施す制御を行う制御部、を有することを特徴とする。
【０００７】
また、本発明は、少なくとも、撮像部と表示部とを有する撮像装置に用いられる撮像方法であって、画質調整機能とは別の当該撮像装置における所定の機能の状態を検出するステップと、前記撮像部が撮像した画像を取得するステップと、前記検出した前記撮像に関する機能の状態に応じて、前記表示部に表示される画像に対して異なる種類又は異なる程度の画像処理を施す制御を行うステップと、を有することを特徴とする。
【０００８】
また、本発明は、コンピュータによって実行され、少なくとも撮像部と表示部とを有する撮像装置に用いられるプログラムであって、前記コンピュータに、画質調整機能とは別の当該撮像装置における所定の機能の状態を検出する処理と、前記撮像部が撮像した画像を取得する処理と、前記検出した前記撮像に関する機能の状態に応じて、前記表示部に表示される画像に対して異なる種類の又は異なる程度の画像処理を施す制御を行う処理と、を実行させる。
【発明の効果】
【０００９】
本発明によれば、フレーミング調整の際に邪魔になるアイコン等の表示を不要とし、ライブビュー画像により撮影に関する機能全般に亘ってその状態を被写体に視覚的に認識させることができる、撮像装置、撮像方法およびプログラムを提供することができる。
【図面の簡単な説明】
【００１０】
【図１】本発明の実施の形態に係る撮像装置の外観構造を示す図である。
【図２】本発明の実施の形態に係る撮像装置の電気系の構成を示すブロック図である。
【図３】本発明の実施の形態に係る撮像装置の動作を示すフローチャートである。
【図４】本発明の実施の形態に係る撮像装置によりセルフタイマ起動時に表示されるカウントダウン画面を示す図である。
【発明を実施するための形態】
【００１１】
以下、添付図面を参照して本発明を実施するための実施の形態（以下、単に実施形態という）について詳細に説明する。
【００１２】
（実施形態の構成）
図１（ａ）に本実施形態に係る撮像装置１０の正面図が、図１（ｂ）に斜視図が示されている。図１（ｂ）から明らかなように、撮像装置１０は、表示部１２とフレーム２０とが撮像部１１を軸に自在に回転させることができるヒンジ機構３０を有する。このため、表示部１２の表示面（図中、裏面）は、このヒンジ機構３０を軸に矢印方向に回転させることで撮像部１１のレンズ側を向くことが可能である。このように自由なアングルでの撮影が可能である。
【００１３】
撮像装置１０には、撮像モードが設定されると、撮像処理、表示用画像データの生成、表示用画像データに基づく画像の表示、という一連の作業を繰り返し行うことで、所謂、ライブビュー画像を表示部１２に表示する機能が搭載されている。ユーザは、表示部１２に表示されたライブビュー画像によってフレーミングや撮像状態を確認しながら撮像を行うことができる。
【００１４】
また、撮像装置１０には、ホワイトバランスや彩度、階調等の画像処理パラメータを代えて撮像することができる機能も搭載されている。例えば、被写体を赤（Ｒ）緑（Ｇ）青（Ｂ）で表現する「スタンダードモード」、被写体をセピアで表現する「セピアモード」、被写体を白黒で表現する「白黒モード」、被写体を特定の銀塩フィルムで撮像した場合と同様に表現することができる「フィルムモード」等、露出等の撮像条件が同じであっても異なる画像処理を施すことにより特定の視覚的効果を与えることかでできる。
【００１５】
図２に示すように、本実施形態に係る撮像装置１０は、撮像部１１と、表示部１２と、操作部１３と、制御部１４と、記憶部１５と、記録媒体１６と、により構成される。これらはいずれも、アドレス、データ、コントロールのためのラインが複数本で構成されるシステムバス１７を介して共通接続されている。
【００１６】
撮像部１１は、レンズ等の光学系の他に、ＣＣＤ（Charge Coupled Device）やＣＭＯＳ（Complementally Metal Oxide Semiconductor）等のイメージセンサ、およびドライバ等の電子部品を含む。撮像部１１は、レンズを介して入射される被写体光をイメージセンサにより電気信号に変換し、ドライバで増幅することによりその電気信号をシステムバス１７経由で制御部１４に出力する。
【００１７】
表示部１２は、例えば、バックライト付きのカラー液晶表示パネルと、制御部１４により生成される画像処理が施されたライブビュー画像を含む画像等の表示データに応じてカラー液晶パネルを駆動するドライバ回路とを含む。操作部１３は、電源スイッチや複数の操作スイッチを含み、制御部１４が定期的にスキャンすることで、所定のキー操作によるユーザからの指示を検知することができる。
【００１８】
制御部１４は、例えば、マイクロプロセッサで実現され、記憶部１５のプログラム領域に記憶された本実施形態に係るプログラムを逐次読み出し実行することで、撮像部１１による撮像状態に応じて変化する撮像に関する機能の状態に応じて、表示部１２に表示される画像に対して異なる種類の画像処理を施す制御を行い、或いは施した画像処理の程度を制御する機能を実現する。ここで、「撮像状態に応じて変化する撮像に関する機能」とは、例えば、セルフタイマ設定機能、電池残量表示機能、撮像可能枚数表示機能のことをいう。
【００１９】
記憶部１５は、例えば、ＳＤＲＡＭ（Synchronous Dynamic Random Access Memory）等のメモリ素子が実装され、プログラム領域と作業領域が割り当てられている。プログラム領域には、後述するように、撮像状態に応じて変化する撮像に関する機能の状態を検出する処理と、撮像部１１が撮像した画像を取得する処理と、検出した撮像に関する機能の状態に応じて、表示部１２に表示される画像に対して異なる種類の画像処理を施す制御を行い、或いは施した画像処理の程度を制御する処理とを含む本実施形態に係るプログラムが記憶される。また、作業領域には、プログラムの実行過程においてプログラムにより生成される画像、あるいはライブビュー画像を含む表示データ（ＶＲＡＭ：Video RAM）等が記憶される。
【００２０】
記録媒体１６は、図１には示されていないカードスロットに着脱自在に装着されるＳＤ（Secure Digital）カード等のストレージメディアである。記録媒体１６には、主に撮像により取得される画像がＪＰＥＧ（Joint Photographic Experts Group）等により圧縮符号化されて記録される。ここに示される記録媒体１６は、制御部１４との間で交換される画像のリードライトインタフェースも含むものとする。
【００２１】
なお、制御部１４は、上記した機能を実現するために、制御部１４が実行するプログラムの構造が機能的に展開されて示されているように、主制御部１４０と、タイマ監視部１４１と、ライブビュー画像生成部１４２と、画像処理フィルタ部１４３と、表示制御部１４４と、を含む。
【００２２】
タイマ監視部１４１は、ユーザが操作部１３のスイッチ操作によりセルフタイマ機能を設定したときにカウントダウンを行い、その値により画像処理フィルタ部１４３を制御する。ライブビュー画像生成部１４２は、撮像モードが設定されるとその撮像モードにしたがい生成される、所謂、ライブビュー画像を生成して画像処理フィルタ部１４３へ出力する。
【００２３】
画像処理フィルタ部１４３は、主制御部１４０による制御の下で、ライブビュー画像生成部１４２から出力されるライブビュー画像に対し、撮像部１１による撮像状態に応じて変化する撮像に関する機能の状態に応じて異なる種類の画像処理を施して所定の視覚的効果を与える。このとき、画像処理フィルタ部１４３は、画像処理の程度を制御してもよい。
【００２４】
ここでいう「画像処理」とは、例えば、ライブビュー画像を非写実的画像に変換する処理、画像の輪郭を変形させる処理、画像の色の濃度を変換する処理である。また、「画像処理の程度」とは、ライブビュー画像を非写実的画像に変換する処理の場合はその変換度であり、画像の輪郭を変形させる処理の場合はその変形度であり、ライブビュー画像の色の濃度を変換する処理の場合はその濃度の変換度である。なお、「特定の視覚的効果」とは、例えば、油絵画、水彩画、鉛筆画、パステル画等、特定の絵画の画風等をいう。
【００２５】
表示制御部１４４は、画像処理フィルタ部１４３により異なる種類の画像処理が施され、あるいはその程度が制御されて出力され、記憶部１５の作業領域（のＶＲＡＭ領域）に書き込まれたライブビュー画像を、表示部１２の表示タイミングに同期して読み出して表示部１２に表示する。
【００２６】
なお、主制御部１４０は、制御部１４が、記憶部１５のプログラム領域に記憶された本実施形態に係るプログラムを逐次読み出し実行することで、撮像部１１による撮像状態に応じて変化する撮像に関する機能の状態に応じて、表示部１２に表示される画像に対して異なる種類の画像処理を施す制御を行い、或いは施した画像処理の程度を制御する機能を実現するように、上記したタイマ監視部１４１と、ライブビュー画像生成部１４２と、画像処理フィルタ部１４３と、表示制御部１４４のシーケンス制御を行う。また、主制御部１４０は、撮像モードにしたがい取得されるライブビュー画像に対し、ゲイン調整、色補正、圧縮符号化処理等の信号処理も行う。
【００２７】
（実施形態の動作）
以下、図３のフローチャート、および図４の異なる種類の画像処理が施されたライブビュー画像の一例を参照して、図１，図２に示す本実施形態に係る撮像装置１０のセルフタイマ機能設定時の撮像動作について詳細に説明する。
【００２８】
まず、ユーザが操作部１３の特定のキースイッチを操作することによりセルフタイマ機能を設定したとする。制御部１４（主制御部１４０）は、これをキースキャンによって認識すると（ステップＳ１０１“Ｙｅｓ”）、タイマ監視部１４１を起動し、その結果、タイマ監視部１４１によるカウントダウンが開始される（ステップＳ１０２）。
【００２９】
一方、撮像モードが設定されると、ライブビュー画像生成部１４２はライブビュー画像を生成し、表示制御部１４４経由で表示部１２に表示するとともに、画像処理フィルタ部１４３へ出力する（ステップＳ１０３）。なお、ライブビュー画像ではなく残り時間“３”に至る前の状態を示す表示であればよい。ここで、主制御部１４０は、タイマ監視部１４１から出力されるタイマ残り時間に関する情報を受信し、残り時間“３”を受信すると（ステップＳ１０４“Ｙｅｓ”）、画像処理フィルタ部１４３により、例えば、図４（ａ）に示すような非写実的画像（レベル３表示：油絵）を生成し、表示制御部１４４経由で表示部１２に表示する（ステップＳ１０５）。
【００３０】
また、残り時間“２”を受信すると（ステップＳ１０６“Ｙｅｓ”）、画像処理フィルタ部１４３は、ライブビュー画像から、例えば、図４（ｂ）に示すような非写実的画像（レベル２表示：水彩画）を生成し、表示制御部１４４経由で表示部１２に表示する（ステップＳ１０７）。また、残り時間“１”を受信すると（ステップＳ１０８“Ｙｅｓ”）、画像処理フィルタ部１４３は、ライブビュー画像から、例えば、図４（ｃ）に示すような非写実的画像（レベル１表示：モノクロ画）を生成し、表示制御部１４４経由で表示部１２に表示する（ステップＳ１０９）。
【００３１】
最後に、残り時間“０”を受信すると（ステップＳ１１０“Ｙｅｓ”）、画像処理フィルタ部１４３は、ライブビュー画像から、例えば、図４（ｄ）に示すように、設定されたモードにしたがいライブビュー画像生成部１４２から出力されるライブビュー画像（レベル０表示：ライブビュー画像）を、表示制御部１４４経由で表示部１２に表示する（ステップＳ１１１）。なお、本実施形態において、レベル３表示の油絵は、レベル０のライブビュー画像とはかなり違う印象をユーザに与え、レベル２表示の水彩画は、レベル３表示に比べてレベル０のライブビュー画像に近づいている印象を与え、レベル１表示のモノクロ画は、レベル２の表示に比べてレベル０のライブビュー画像にかなり近づいた印象を与えるものとする。このように、画像処理フィルタ部１４３は、時間経過に伴い撮像モードにしたがって撮像されるライブビュー画像に逐一近づける処理を行う。
【００３２】
なお、本実施形態によれば、異なる種類の画像処理として、残り時間に応じて、油絵、水彩画、モノクロ画のいずれも被写実的画像に変換する例を説明したが、例えば、非写実的画像、トイカメラ、ソフトフォーカスのように、徐々にライブビュー画像に近づける処理を行うものであればいずれの画像処理を行ってもよい。また、これに限らず、残り時間と画像処理の種類との対応関係をユーザが任意に設定できるようにしてもよい。また、本実施形態において、残り時間“０”を除き、残り時間“３”，“２”，“１”は、セルフタイマ機能による残り秒数を示すものでなく、設定された時間（秒）からタイムアウト（０秒）に至る迄に設定される時間帯を示す。
【００３３】
最後に、主制御部１４０は、画像処理フィルタ部１４３から出力される撮像モードにしたがうライブビュー画像に対し、ゲイン調整、色補正、圧縮符号化処理等の信号処理を行い（ステップＳ１１２）、記録媒体へ保存することにより、上記したセルフタイマ設定による一連の撮像動作が終了する（ステップＳ１１３）。
【００３４】
（実施形態の効果）
本実施形態に係る撮像装置１０によれば、制御部１４は、セルフタイマ設定時、残り時間（撮像状態に応じて変化する撮像に関する機能の状態）に応じて、ライブビュー画像に対して異なる非写実的画像（油絵、水彩画、モノクロ画）に変換ライブビュー画像像処理を行なう。したがって、表示部１２に表示される画像に、アイコン表示に頼ることなくその状態を被写体や撮影者に視覚的に認識させることができ、アイコン等、フレーミングの際に邪魔になる画像が重畳して表示されることがなくなり、画面全体に画像処理が施されたライブビュー画像が表示されるため、セルフタイマ機能設定時の残り時間の視認性が向上する。また、撮影開始までの比較的短時間ではあるが、設定した撮像モード以外の複数のモードにしたがうライブビュー画像が逐一表示されるため、趣向性を高めることができる。
【００３５】
（変形例）
なお、本実施形態に係る撮像装置１０によれば、セルフタイマ機能に適用する場合についてのみ説明したが、セルフタイマ機能に制限されることなく、電池残量表示、撮像可能枚数表示等、撮像状態に応じて変化する撮像に関する機能全般への適用が可能である。非写実的画像の表示タイミングは、セルフタイマ機能の場合は撮像時であり、電池残量表示の場合は電源ＯＮ又は再生表示時であり、撮像枚数表示の場合は、撮像直後が好ましい。
【００３６】
また、撮像状態に応じて変化する撮像に関する機能の状態に応じて異なる種類の画像処理を行う例として、制御部１４（画像処理フィルタ部１４３）が、ライブビュー画像を非写実的画像に変換する場合についてのみ説明したが、非写実的画像に限らず、輪郭を変形させる画像処理、あるいは色の濃度を変換する画像像処理で代替してもよい。いずれも画像処理フィルタ部１４３により対応することができる。
【００３７】
また、本実施形態に係る撮像装置１０によれば、制御部１４（画像処理フィルタ部１４３）が、撮像状態に応じて変化する撮像に関する機能の状態に応じて異なる種類の画像処理を行うものとして説明したが、適用される画像処理の程度を制御することで代替してもよい。例えば、非写実的画像に変換する画像像処理を行った場合はその変換度、画像の輪郭を変形させる画像処理を施した場合はその変形度、画像の色の濃度を変換する画像処理を施した場合は、その変換度を制御すればよい。いずれも主制御部１４０による画像処理フィルタ部１４３へのパラメータ（フィルタ係数）設定で制御することができる。
【００３８】
セルフタイマ機能に適用した場合は、残り時間が短い程画像処理の程度（フィルタ係数）を小さく設定することになる。具体的に、図３のフローチャート中、ステップＳ１０５，Ｓ１０７，Ｓ１０９，Ｓ１１１に、レベル３表示、レベル２表示、レベル１表示、レベル０表示とあるが、主制御部１４０により画像処理フィルタ部１４３に設定される係数は、レベル３表示＞レベル２表示＞レベル１表示＞レベル０表示になる。なお、電池残量表示機能に適用した場合は、注意喚起のため、残り残量が少なくなる程大きな係数（画像処理の程度を大きく）を設定するのが好ましい。また、撮像可能枚数表示機能に適用した場合も、注意喚起のために残り枚数が少なくなる程大きな係数を設定するのが好ましい。
また、機能に応じて画像処理を変えてもよい。
また、複数の機能の状態を同時に表してもよい。
なお、上述の実施形態では、アイコン表示を除外する例を示したが、アイコン表示と同時に表示するようにしてもよい。
【００３９】
以上説明したように、本実施形態に係る撮像装置１０によれば、制御部１４は、撮像部１１による撮像状態に応じて変化する撮像に関する機能の状態に応じて、表示部１２に表示される画像に対して異なる種類の画像処理を施す制御を行い、或いは施した画像処理の程度を制御する。したがって、表示部１２に表示される画像は、アイコン等、フレーミング調整の際に邪魔になる画像が重畳して表示されることがなく、画面全体に画像処理が施されたライブビュー画像が表示されるため、視認性が向上する。また、比較的短時間ではあるが、設定した撮像モード以外の複数のモードにしたがうライブビュー画像が表示されるため、趣向性を高めることができる。
【００４０】
なお、本実施形態に係る撮像装置１０によれば、ライブビュー画像のみ例示したが、再生画像についても同様に適用が可能である。また、画像処理の種類として非写実的画像のみ例示したが、被写体を模擬したキャラクタ画像であってもよい。
【００４１】
なお、本実施形態に係る撮像方法は、例えば、図１，図２に示されるように、少なくとも、撮像部１１と表示部１２とを有する撮像装置に用いられる撮像方法である。そして、その撮像方法は、例えば、図３に示されるように、撮像状態に応じて変化する撮像に関する機能の状態を検出するステップ（Ｓ１０１）と、前記撮像部が撮像した画像を取得するステップ（Ｓ１０３）と、前記検出した前記撮像に関する機能の状態に応じて、前記表示部に表示される画像に対して異なる画像処理を施す制御を行い、或いは前記施した画像処理の程度を制御するステップ（Ｓ１０４〜Ｓ１１１）と、を有することを特徴とする。
【００４２】
本実施形態に係る撮像方法によれば、フレーミングの際に邪魔になるアイコン等の表示を不要とし、ライブビュー画像により撮影に関する機能全般に亘ってその状態を被写体に視覚的に認識させることができる。具体的には、表示部１２に表示される画像は、アイコン等、フレーミングの際に邪魔になる画像が重畳して表示されることがなく、画面全体に画像処理が施されたライブビュー画像が表示されるため、視認性が向上する。また、比較的短時間ではあるが、設定した撮像モード以外の複数のモードにしたがうライブビュー画像が表示されるため、趣向性を高めることができる。
【００４３】
本実施形態に係るプログラムは、例えば、図１，図２に示すように、コンピュータ（制御部１４）によって実行され、少なくとも撮像部１１と表示部１２とを有する撮像装置１０に用いられるプログラムである。そして、そのプログラムは、例えば、図３に示すように、前記コンピュータに、撮像状態に応じて変化する撮像に関する機能の状態を検出する処理（Ｓ１０１）と、前記撮像部が撮像した画像を取得する処理（Ｓ１０３）と、前記検出した前記撮像に関する機能の状態に応じて、前記表示部に表示される画像に対して異なる画像処理を施す制御を行い、或いは前記施した画像処理の程度を制御する処理（Ｓ１０４〜Ｓ１１１）と、を実行させる。
【００４４】
本実施形態に係るプログラムによれば、制御部１４が、記憶部１５に記憶されたプログラムを読み出し実行することにより、フレーミングの際に邪魔になるアイコン等の表示を不要とし、ライブビュー画像により撮影に関する機能全般に亘ってその状態を被写体に視覚的に認識させることができる。具体的には、表示部１２に表示される画像は、アイコン等、フレーミングの際に邪魔になる画像が重畳して表示されることがなく、画面全体に画像処理が施されたライブビュー画像が表示されるため、視認性が向上する。また、比較的短時間ではあるが、設定した撮像モード以外の複数のモードにしたがうライブビュー画像が表示されるため、趣向性を高めることができる。
【００４５】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４６】
以下に、本願出願時の特許請求の範囲を付記する。
［請求項１］
少なくとも撮像部と表示部とを有する撮像装置であって、
画質調整機能とは別の当該撮像装置における所定の機能の状態に応じて、前記表示部に表示される画像に対して異なる種類又は異なる程度の画像処理を施す制御を行う制御部、
を有することを特徴とする撮像装置。
［請求項２］
前記所定の機能は、セルフタイマ、電池残量、撮像可能枚数の少なくとも１つを含むことを特徴とする請求項１記載の撮像装置。
［請求項３］
前記制御部は、
前記画像を非写実的画像に変換する前記画像処理を施すことを特徴とする請求項１又は２記載の撮像装置。
［請求項４］
前記制御部は、
前記画像の輪郭を変形させる前記画像処理を施すことを特徴とする請求項１又は２記載の撮像装置。
［請求項５］
前記制御部は、
前記画像の色の濃度を変換する前記画像処理を施すことを特徴とする請求項１又は２記載の撮像装置。
［請求項６］
前記制御部は、
前記画像を非写実的画像に変換する前記画像処理を施した場合の変換度を制御することを特徴とする請求項１又は２記載の撮像装置。
［請求項７］
前記制御部は、
前記画像の輪郭を変形させる前記画像処理を施した場合の前記輪郭の変形度を制御することを特徴とする請求項１又は２記載の撮像装置。
［請求項８］
前記制御部は、
前記画像の色の濃度を変換する前記画像処理を施した場合の前記濃度の変換度を制御することを特徴とする請求項１又は２記載の撮像装置。
［請求項９］
前記制御部は、
セルフタイマの残り時間に応じて、前記表示部に表示される画像に対して異なる画像処理を施し、或いは前記施した画像処理の程度を制御することを特徴とする請求項１〜８のいずれか１項記載の撮像装置。
［請求項１０］
前記制御部は、
前記セルフタイマの残り時間が短い程、撮像モードにしたがって撮像された画像に近づける前記画像処理を施すことを特徴とする請求項９記載の撮像装置。
［請求項１１］
前記制御部は、
前記セルフタイマの残り時間が短い程、前記画像処理の程度を小さく設定することを特徴とする請求項９記載の撮像装置。
［請求項１２］
前記制御部は、
電池残量に応じて、前記表示部に表示される画像に対して異なる画像処理を施し、或いは前記施した画像処理の程度を制御することを特徴とする請求項１〜８のいずれか１項記載の撮像装置。
［請求項１３］
前記制御部は、
前記電池残量が少ない程、撮像モードにしたがって撮像された画像から遠ざける前記画像処理を施すことを特徴とする請求項１２記載の撮像装置。
［請求項１４］
前記制御部は、
前記電池残量が少ない程、前記画像処理の程度を大きく設定することを特徴とする請求項１２記載の撮像装置。
［請求項１５］
前記制御部は、
撮像可能枚数に応じて、前記表示部に表示される画像に対して異なる画像処理を施し、或いは前記施した画像処理の程度を制御することを特徴とする請求項１〜８のいずれか１項記載の撮像装置。
［請求項１６］
前記制御部は、
前記撮像可能枚数が少ない程、撮像モードにしたがって撮像された画像から遠ざける前記画像処理を施すことを特徴とする請求項１５記載の撮像装置。
［請求項１７］
前記制御部は、
前記撮像可能枚数が少ない程、前記画像処理の程度を大きく設定することを特徴とする請求項１５記載の撮像装置。
［請求項１８］
前記所定の機能に応じて画像処理の種類を変えることを特徴とする請求項１〜１７のいずれか１項記載の撮像装置。
［請求項１９］
前記所定の機能の複数の状態を同時に表すことを特徴とする請求項１〜１８のいずれか１項記載の撮像装置。
［請求項２０］
少なくとも、撮像部と表示部とを有する撮像装置に用いられる撮像方法であって、
画質調整機能とは別の当該撮像装置における所定の機能の状態を検出するステップと、
前記撮像部が撮像した画像を取得するステップと、
前記検出した前記撮像に関する機能の状態に応じて、前記表示部に表示される画像に対して異なる種類又は異なる程度の画像処理を施す制御を行うステップと、
を有することを特徴とする撮像方法。
［請求項２１］
コンピュータによって実行され、少なくとも撮像部と表示部とを有する撮像装置に用いられるプログラムであって、
前記コンピュータに、
画質調整機能とは別の当該撮像装置における所定の機能の状態を検出する処理と、
前記撮像部が撮像した画像を取得する処理と、
前記検出した前記撮像に関する機能の状態に応じて、前記表示部に表示される画像に対して異なる種類の又は異なる程度の画像処理を施す制御を行う処理と、
を実行させるプログラム。
【符号の説明】
【００４７】
１０…撮像装置、１１…撮像部、１２…表示部、１３…操作部、１４…制御部、１５…記憶部、１６…記録媒体、１７…システムバス、２０…フレーム、３０…ヒンジ機構、１４０…主制御部、１４１…タイマ監視部、１４２ライブビュー画像生成部、１４３…画像処理フィルタ部、１４４…表示制御部。
【図１】
2014064225.tif 000003
【図２】
2014064225.tif 000004
【図３】
2014064225.tif 000005
【図４】
2014064225.tif 000006